(57)【要約】      （修正有）【課題】漁業者等が船上作業時に通常着用している胸付きズボンの使用中における屈曲性を確保しつつ、使用者が水中に転落したとしても立った状態で浮くことができるようにした浮体付き胸付きズボンを提供する。【解決手段】ズボン部１１の胴部から上部に胸当て部１２と背当て部とが連続するように設けられ、胸当て部１２と背当て部とをサスペンダー１５で連結するようにした胸付きズボンに、ズボン部１１の前部と後部及び胸当て部１２と背当て部とに浮体収容部３１，３３を形成する。これらの浮体収容部３１，３３に、薄板状の浮体材を重ね合せ、その重ね合せた浮体材をポリ塩化ビニルシートで覆った浮体２０を収容する。【選択図】図１
0003179272.tif 000002
【実用新案登録請求の範囲】
【請求項１】
ズボン部の胴部から上部に胸当て部と背当て部とが連続するように設けられ、前記胸当て部と背当て部とを連結部材で連結するようにした胸付きズボンであって、
前記ズボン部の前部と後部及び胸当て部と背当て部とに浮体収容部を形成し、
前記浮体収容部に、薄板状の浮体を重ね合せ、その重ね合せた浮体を合成樹脂シートで覆った浮体を収容したことを特徴とする浮体付き胸付きズボン。
【請求項２】
前記胸当て部に収容する胸浮体は、幅方向中央部分で少なくとも一部の胸浮体が左右に分割形成されている請求項１に記載の浮体付き胸付きズボン。
【請求項３】
前記ズボン部の前部と後部に収容する浮体は、ズボン部の前部に収容する腹浮体と後部に収容する尻浮体とを有し、
前記腹浮体及び尻浮体は、ズボン部の幅方向中央部分を挟んで左右に設けられ、
前記腹浮体は、上下方向中央部分が分割されて所定の空間を有し、
前記尻浮体は、上下方向中央部分に折線を有している請求項１又は２に記載の浮体付き胸付きズボン。
【請求項４】
前記尻浮体は、さらに上下方向に分割形成されている請求項３に記載の浮体付き胸付きズボン。
【請求項５】
前記胸浮体は、重ねる薄板状の浮体の大きさが内側から外側に向けて小さくなるように形成されている請求項１〜４のいずれか１項に記載の浮体付き胸付きズボン。
【請求項６】
前記ズボン部は、前記腹浮体及び尻浮体の外側部分にベルト通しを備えている請求項１〜５のいずれか１項に記載の浮体付き胸付きズボン。
【考案の詳細な説明】
【技術分野】
【０００１】
本考案は、漁業者や漁労従事者などが使用する胸付きズボンに関し、詳しくは、浮体を備えた胸付きズボンに関する。
【背景技術】
【０００２】
従来、漁業者や漁労従事者及び港湾作業者等（以下、これらを総称して「漁業者等」という）は、漁業時や漁網等を取り扱う各種作業を行うときに、胸付きズボン（合羽ズボン、つなぎズボン等とも呼ばれる）を常時着用している。
【０００３】
この胸付きズボンは、漁業者等が作業時に海水、雨、汚れ等から身体を保護する目的で着用されており、作業性にも適した構造となっている。胸付きズボンは、一般的に表面が合成ゴムやポリ塩化ビニルなどで形成されている。
【０００４】
一方、漁業者等が作業中に海中に転落する事故がある。そのため、漁業者等の海上作業時における救命胴衣の着用は法制化されており、一人乗り船舶での救命胴衣の着用は義務化されている。しかしながら、従来の救命胴衣は、作業性の問題から着用率は向上しておらず、未着用による水難事故が後を絶たないのが現状である。
【０００５】
そこで、水難事故防止用の救命用つなぎズボンが提案されている。例えば、ズボンの胴回りの上端部に設けられた胸当てと背当てとが着脱具を介して左右の連結ベルトで着脱自在に連結され、そのズボンの胸当て及びまたは背当てに収容部を設け、この収容部に浮力体を収納して救命機能を備えさせたものがある（例えば、特許文献１参照）。
【０００６】
また、他の先行技術として、胸当てと背当てを左右両側で上下方向のファスナで開閉可能にし、背当てから延びる右側着脱具と背当てから延びる左側着脱具を係止突具と係止受け具とで着脱可能な構成にし、その胸当てと膝部分に浮力体を収納するようにした救命用つなぎズボンもある（例えば、特許文献２参照）。
【０００７】
さらに、他の先行技術として、頭を下げて作業するとき等のブカブカ感を抑制すると共に、背当て部分が突っ張って作業し難い状態とならないように、背当て部分が左右に伸張可能なようにした救命用つなぎズボンがある（例えば、特許文献３参照）。
【先行技術文献】
【特許文献】
【０００８】
【特許文献１】実用新案登録第３０７５９２２号公報
【特許文献２】実用新案登録第３１３０８２４号公報
【特許文献３】実用新案登録第３１３５８０４号公報
【考案の概要】
【考案が解決しようとする課題】
【０００９】
しかしながら、上記特許文献１の場合、独立発泡性の合成樹脂を浮力体として胸当てと背当ての一方か両方に入れるようにしているため、この合成樹脂が身体を曲げる屈曲時などに邪魔になり、作業性が悪い。しかも、この浮力体を空気袋のような構成にしたとしても、その空気袋の部分が身体を曲げる屈曲時などに邪魔になり、作業性が悪い。
【００１０】
また、上記特許文献２，３の場合には、浮力体として３５ｍｍ〜４５ｍｍの厚みのある独立気泡の発泡性合成樹脂を胸当て部分に入れるようにしているため、このように厚みのある浮力体を入れる収容部を複数に分割して形成するためには、構造が複雑になる。しかも、作業時には分割して収容した浮力体同士が当接して、身体を曲げる屈曲時などの作業性が悪い。
【００１１】
その上、胸当てと背当てを左右両側に設けたファスナで開閉可能にしているため、船上の漁労漁具等（例えば、ワイヤーロープ、繊維ロープ、漁網、漁網付属漁具等）がファスナに引っ掛かる可能性がある。漁労漁具等がファスナに引っ掛かると、揺れる船上では簡単に外すことができず、労力と時間を要する。
【００１２】
さらに、特許文献２，３では、膝に近接した部分にも浮力体を入れて脚部が水面に浮くようにしているため、水中に転落した場合、全身を水面に浮かせることができても船につかまるようなことが難しい。
【００１３】
そこで、本考案は、漁業者等が船上作業時に通常着用している胸付きズボンの使用中における屈曲性を確保しつつ、使用者が水中に転落したとしても立った状態で浮くことができる浮体付き胸付きズボンを提供することを目的とする。
【課題を解決するための手段】
【００１４】
上記目的を達成するために、本考案は、ズボン部の胴部から上部に胸当て部と背当て部とが連続するように設けられ、前記胸当て部と背当て部とを連結部材で連結するようにした胸付きズボンであって、前記ズボン部の前部と後部及び胸当て部と背当て部とに浮体収容部を形成し、前記浮体収容部に、薄板状の浮体材を重ね合せ、その重ね合せた浮体材を合成樹脂シートで覆った浮体を収容している。この明細書及び実用新案登録請求の範囲の書類中における「浮体材」は、例えば、独立気泡を有する発砲ポリエチレンシートなどの浮力を有する合成樹脂材などが用いられる。
【００１５】
この構成により、使用者の動きに応じて、浮体収容部に収容された浮体材は重ね合せた部分がずれて使用中における屈曲性を確保できるとともに、使用者が水中に転落した場合には、ズボン部の前部と後部及び胸当て部と背当て部とに収容した浮体の浮力によって、立った状態で水面に浮くことができる。しかも、浮体を収容した胸付きズボンの着用により、不安定な船上作業時において浮体を収容している部分が船の構造に当接したときの身体への衝撃を緩和することができる。
【００１６】
また、前記胸当て部に収容する胸浮体は、幅方向中央部分で少なくとも一部の胸浮体が左右に分割形成されていてもよい。
【００１７】
このように構成すれば、腕による作業中に最も屈曲する胸当て部における屈曲性をより良くすることができる。
【００１８】
また、前記ズボン部の前部と後部に収容する浮体は、ズボン部の前部に収容する腹浮体と後部に収容する尻浮体とを有し、前記腹浮体及び尻浮体は、ズボン部の幅方向中央部分を挟んで左右に設けられ、前記腹浮体は、上下方向中央部分に横方向の分割空間を有し、前記尻浮体は、上下方向中央部分に横方向の折線を有していてもよい。
【００１９】
このように構成すれば、膝を曲げた作業や座る作業を行うときに、ズボン部の腹浮体は上下方向中央部分の横方向分割空間で大きく曲がり、尻浮体は横方向の折線で曲がるので、ズボン部を使用者の動作に応じて屈曲させることができる。
【００２０】
また、前記尻浮体は、さらに上下方向に分割形成されていてもよい。
【００２１】
このように構成すれば、俯くときにズボン部の尻浮体が容易に屈曲して作業性をより良くすることができる。
【００２２】
また、前記胸浮体は、重ね合せる薄板状の浮体の大きさが内側から外側に向けて小さくなるように形成されていてもよい。
【００２３】
このように構成すれば、両腕の間に位置する浮体が外側に向かって小さくなるので、作業中に浮体が邪魔にならにようにできる。
【００２４】
また、前記ズボン部は、前記腹浮体及び尻浮体の外側部分にベルト通しを備えていてもよい。
【００２５】
このように構成すれば、ズボン部の浮体部分が広がるのを外側から抑え、水面でより安定した状態で浮くことが可能となる。
【考案の効果】
【００２６】
本考案によれば、使用者の動きに応じて薄い浮体材の重ね合せ部分におけるずれや屈曲によって使用中における屈曲性を確保できるとともに、使用者が水中に転落した場合には、ズボン部の前部と後部及び胸当て部と背当て部とに収容した浮体の浮力によって、立った状態で水面に浮くようにすることが可能となる。
【図面の簡単な説明】
【００２７】
【図１】本考案の第１実施形態に係る浮体付き胸付きズボンを示す正面図である。
【図２】図１に示す浮体付き胸付きズボンの背面図である。
【図３】図１に示すIII−III矢視の断面図である。
【図４】図３に示す断面の別例を示す断面図である。
【図５】図２に示すV−V矢視の断面図である。
【図６】図１に示すVI−VI矢視の断面図である。
【図７】図２に示すVII−VII矢視の断面図である。
【図８】本考案の第２実施形態に係る浮体付き胸付きズボンを示す正面図である。
【図９】図８に示す浮体付き胸付きズボンの背面図である。
【考案を実施するための形態】
【００２８】
以下、本考案の一実施形態を図面に基づいて説明する。以下の実施形態では、浮体付き胸付きズボンの前部と後部を合せた不使用状態を図示して説明する。また、この明細書及び特許請求の範囲の書類中における上下左右方向の概念は、図１に示す浮体付き胸付きズボンに向かった状態における上下左右方向の概念と一致するものとする。なお、以下に説明する断面図では、ズボンの本体部１４の厚みを誇張して記載するが、後述する浮体材２５の厚みよりも薄い材料が用いられる。
【００２９】
図１，２に示すように、第１実施形態に係る浮体付き胸付きズボン１０は、使用者の両足部分から腹部分を覆うズボン部１１と、ズボン部１１の上部で使用者の胸の前方に位置する胸当て部１２と、ズボン部１１の上部で使用者の背中の後方に位置する背当て部１３とを有している。これらのズボン部１１、胸当て部１２及び背当て部１３は、ゴム材やポリエステル等の合成繊維生地にポリ塩化ビニルフィルムなどをラミネート加工したものが本体部１４として使用され、防水性を備えている。
【００３０】
また、胸当て部１２の上端と背当て部１３の上端との間には、これらを連結する連結部材たるサスペンダー（ズボン吊り）１５が設けられている。サスペンダー１５は、使用者の肩に掛ける中間部分を交差させることにより肩ずれ防止を図っている。このサスペンダー１５は、胸当て部１２と背当て部１３の上部に設けられた取付金具１６，１７に取付けられている。胸当て部１２に設けられた取付金具１６は、サスペンダー１５を胸当て部１２に連結／解除することができるようになっている。サスペンダー１５は、収縮性のあるゴム製バンドを用いている。
【００３１】
また、この実施形態では、後述するズボン部１１の腹浮体２３の外側と尻浮体２４の外側にベルト通し１８が設けられている。このように、腹浮体２３と尻浮体２４の外側部分にベルト通し１８を設けることで、浮体部分を身体に向けて締めることができるようにしている。これにより、ベルト通し１８にベルトを通して締めておくことで、転落時にはズボン部１１の腰回りが広がるのを抑えて、腹浮体２３，尻浮体２４を身体の近くに位置させることができる。
【００３２】
さらに、この実施形態では、胸当て部１２に反射テープ１９が設けられている。この反射テープ１９により、夜間の転落時などの検索時に早期発見が可能なようにしている。反射テープ１９は、背当て部１３にも設けてもよい。
【００３３】
そして、上記ズボン部１１と、胸当て部１２及び背当て部１３に浮体２０が設けられている。胸当て部１２には胸浮体２１が設けられ、背当て部１３には背浮体２２が設けられている。
【００３４】
また、ズボン部１１には、前部の腰部から腹部にかけて腹浮体２３が設けられ、後部の腰部から尻部にかけて尻浮体２４が設けられている。この明細書及び実用新案登録請求の範囲の書類中では、前部の腰部から腹部にかけて設けられた浮体を「腹浮体２３」といい、後部の腰部から尻部にかけて設けられた浮体を「尻浮体２４」という。また、これらの浮体２１，２２，２３，２４を総称する場合は、「浮体２０」という。
【００３５】
上記浮体２１，２２，２３，２４は、ズボン部１１と胸当て部１２及び背当て部１３に設けられた各浮体収容部３１，３２，３３，３４に収容されている。各浮体収容部３１，３２，３３，３４は、各部分の本体部１４と同等生地の収容部形成材３０で形成されており、各収容部形成材３０と本体部１４との間に浮体２０を収容し、各収容部形成材３０が本体部１４に溶着や接着等で一体的に接合されている。収容部形成材３０は、材質に応じて溶着、接着等で本体部分に接合すればよい。この実施形態の浮体収容部３１，３２，３３，３４は、浮体２１，２２，２３，２４が内部に収容された後、周囲が本体部１４に溶着で一体的に接合されている。
【００３６】
図３に示すように、上記胸当て部１２に設けられた胸浮体２１は、本体部１４の前部に収容部形成材３０で形成された浮体収容部３１に収容されており、薄い浮体材２５を複数枚重ねることで形成されている。また、胸浮体２１は中央部分で左右に分割されており、複数枚を重ね合せた状態の浮体材２５が中央部分で屈曲できるようになっている。
【００３７】
この重ね合せた浮体材２５は、合成樹脂シートたるポリ塩化ビニルシート２６によって全体が覆われている。このポリ塩化ビニルシート２６で全体を覆うことにより、薄い浮体材２５を重ねた状態を保つようにしている。この実施形態における薄い浮体材２５は、例えば、高発泡ポリエチレンシート（例えば、厚みが２ｍｍ）が用いられ、十数枚が重ね合せて設けられる。そして、この状態で胸当て部１２に設けられた浮体収容部３１に収容され、収容部形成材３０の周囲が本体部１４に溶着部３６で一体的に接合されている。
【００３８】
さらに、この胸浮体２１は、身体側である内側は幅方向寸法が広く、外側は幅方向寸法が狭くなっている。このように外側の幅方向寸法を狭くすることにより、胸当て部１２から前方に突出する胸浮体２１の両側部が使用者の腕の動きを邪魔しないようにしている。これにより、使用者の作業性悪化を防いでいる。
【００３９】
図４は、上記胸当て部１２に収容する胸浮体２１の別な例である。この例では、全幅寸法の浮体材２５ａと中央部分で分割した浮体材２５ｂとを１枚毎に交互に重ね合せている。これにより、重ね合せた薄い浮体材２５ａ，２５ｂの浮体材２５ｂが無い中央部分を弱くし、中央部分で屈曲できるようにしている。
【００４０】
図５に示すように、上記背当て部１３に設けられた背浮体２２は、上記胸浮体２１と同様に、薄い浮体材２５が重ねられ、その周囲がポリ塩化ビニルシート２６によって覆われている。そして、この状態で背当て部１３に設けられた浮体収容部３２に収容され、収容部形成材３０の周囲が本体部１４に溶着部３６で一体的に接合されている。
【００４１】
この背当て部１３に設けられる背浮体２２も身体側である内側は幅方向寸法が広く、外側は幅方向寸法が狭くなるようになっている。背浮体２２は、使用者の動きを妨げることがないため、中央部分に分割部などは設けられていない。
【００４２】
図６に示すように、上記ズボン部１１に設けられた腹浮体２３は、本体部１４の前部に収容部形成材３０で形成された浮体収容部３３に収容されており、薄い浮体材２５を複数枚重ねることで形成されている。この腹浮体２３も、その周囲がポリ塩化ビニルシート２６によって覆われている。腹浮体２３は、上記胸浮体２１、背浮体２２に比べると、枚数が約半分になっている。そして、この状態で本体部１４の前部に設けられた浮体収容部３３に収容され、収容部形成材３０の周囲が本体部１４に溶着部３６で一体的に接合されている。
【００４３】
また、この実施形態の腹浮体２３は、使用者が前屈したときの作業性を考慮し、横長方形に形成されている。さらに、横長方形の浮体材２５を上下に離して設けている。腹浮体２３を上記胸浮体２１のように折れ曲がる程度ではなく隙間２７を設けて離すことにより、使用者が足を曲げて姿勢を低くするようなときに腹浮体２３の間で大きく折れ曲がることができるようにしている。
【００４４】
図７に示すように、上記ズボン部１１に設けられた尻浮体２４は、ズボン部１１に設けられたマチ部３５とその両側に収容部形成材３０で形成された浮体収容部３４に収容されている。これらの尻浮体２４は、上下方向の中央部で分割された方形状の薄い浮体材２５も重ね合わせることで形成され、その周囲がポリ塩化ビニルシート２６によって覆われている。そして、この状態で本体部１４の後部に設けられた浮体収容部３４に収容され、収容部形成材３０の周囲が本体部１４に溶着部３６で一体的に接合されている。
【００４５】
尻浮体２４は、上下方向中央部分が分割されており、この部分で屈曲可能となっている。この尻浮体２４も、上記腹浮体２３と同様に、上記胸当て部１２及び背当て部１３に比べると約半分の枚数の浮体材２５が重ね合わされている。
【００４６】
このように、胸当て部１２及びズボン部１１の前面に設けられた浮体２１，２３については、使用者の作業性を考慮して、幅方向中央部で左右部分が折れるような構造となっている。
【００４７】
以上のように構成された浮体付き胸付きズボン１０によれば、胸当て部１２及び背当て部１３に大きな浮力を得られる浮体２１，２３が設けられ、ズボン部１１の腹部及び尻部に設けられた浮体２２，２４の浮力と合せて大きな浮力が得られる胸付きズボン１０を形成することができる。
【００４８】
従って、浮体付き胸付きズボン１０の使用者が誤って水中に転落したとしても、胸付きズボン１０に設けられた浮体２０によって水面に立った状態で浮くことができ、海難事故等を未然に防ぐことができる。
【００４９】
次に、図８，９に示す第２実施形態に係る浮体付き胸付きズボン５０を説明する。この第２実施形態の浮体付き胸付きズボン５０は上記第１実施形態の浮体付き胸付きズボン１０における浮体２０に関する構成が異なるのみであるため、他の構成には同一符号を付し、その説明は省略する。
【００５０】
図８，９に示すように、この実施形態の浮体付き胸付きズボン５０も、ズボン部１１と胸当て部１２及び背当て部１３に浮体６０が設けられている。胸当て部１２には胸浮体６１が設けられ、背当て部１３には背浮体６２が設けられている。これら胸当て部１２に設けられた胸浮体６１と、背当て部１３に設けられた背浮体６２とは、上記第１実施形態における浮体付き胸付きズボン１０と同一であるため、その説明は省略する。
【００５１】
一方、ズボン部１１には、前部に腹浮体６３が設けられ、後部に尻浮体６４が設けられている。ズボン部１１の前部に設けられた腹浮体６３は、上下方向の寸法が大きくなり、幅方向中央部分に上下方向に延びる折線７０が設けられている。この折線７０を入れることにより、使用者の作業性が良くなるようにしている。
【００５２】
また、ズボン部１１の後部に設けられた尻浮体６４は、上下方向の寸法が大きくなっている。このようにズボン部１１に設けられる腹浮体６３と尻浮体６４を大きくすることにより、上記胸浮体６１と背浮体６２とによって大きな浮力が得られるようにしている。
【００５３】
しかも、屈伸時の作業性を考慮し、腹浮体６３は上下方向に離して設けるとともに浮体幅方向中央部に縦方向の折線７０を入れ、尻浮体６４は上下方向中央部分に横方向に折線７１を入れることで、屈曲性を増すようにしている。また、腹浮体６３を横長方形とし、上下に２段として４カ所に設けることにより、使用者が前屈姿勢で作業を行う時の屈曲性を確保している。
【００５４】
さらに、胸浮体６１にも幅方向中央部分に上下方向に延びる折線７２を設けることにより、作業時の柔軟性を保ち、また、胸への圧迫を軽減するようにしている。
【００５５】
また、尻浮体６４を腰部から尻部にかけて設け、縦長方形の上下方向中央部に横方向に延びる折線７１を施した浮体６４を３カ所に設けることにより、作業時における屈曲性を確保するようにしている。
【００５６】
なお、第２実施形態の浮体付き胸付きズボン５０における浮体６０の折線７０〜７２は、上述した図７のように各浮体を分割して形成しても、図４のように構成することで形成してもよい。
【００５７】
以上のように構成された浮体付き胸付きズボン１０，５０によれば、漁業者等が各種作業を行うときに常時着用する胸付きズボンに水面で浮く浮力を持たせ、通常の作業時には胸付きズボンとして用いたとしても浮体２０，６０による作業性の大幅な悪化を感じることなく作業することができる。
【００５８】
そして、仮に海に転落したとしても、作業者は立った状態で水面に浮くことができ、自船にしがみついて他船の救助を待つことなどが容易に可能となる。
【００５９】
また、浮体２０，６０を収容した浮体付き胸付きズボン１０，５０の着用により、不安定な船上作業時において、浮体２０，６０の部分が構造体に当接しても身体への衝撃を緩和することができる。
【００６０】
なお、上記実施形態における浮体２０，６０の構成は一例であり、上記した構成以外の配置であってもよく、浮体２０，６０の構成は上記実施形態に限定されるものではない。また、上記浮体付き胸付きズボン１０，５０の構成を組合わせることも可能であり、浮体付き胸付きズボンの構成は上記実施形態に限定されるものではない。
【００６１】
さらに、上記サスペンダー１５にも浮体を設けることで、より大きな浮力を得るようにしてもよい。また、胸当て部１２に、ＧＰＳセンサや携帯電話収納する防水収納部を設けてもよく、上記浮体付き胸付きズボン１０，５０に更なる構成を付加してもよく、本考案は上記実施形態に限定されるものではない。
【００６２】
さらに、ズボン部１１と胸当て部１２及び背当て部１３とを防水ファスナーなどで取外し可能にすれば、一部が損傷しても容易に交換することが可能となる。
【００６３】
また、上述した実施形態は一例を示しており、本考案の要旨を損なわない範囲での種々の変更は可能であり、本考案は上述した実施形態に限定されるものではない。
【産業上の利用可能性】
【００６４】
本考案に係る浮体付き胸付きズボンは、漁業者等が各種作業を行うときに利用でき、特に、船上作業のように転落の危険性がある場合などに利用できる。
【符号の説明】
【００６５】
１０  浮体付き胸付きズボン
１１  ズボン部
１２  胸当て部
１３  背当て部
１４  本体部
１８  ベルト通し
２０  浮体
２１  胸浮体
２２  背浮体
２３  腹浮体
２４  尻浮体
２５  浮体材
２６  ポリ塩化ビニルシート
２７  隙間
３０  収容部形成材
３１  浮体収容部
３２  浮体収容部
３３  浮体収容部
３４  浮体収容部
３６  溶着部
５０  浮体付き胸付きズボン
６０  浮体
６１  胸浮体
６２  背浮体
６３  腹浮体
６４  尻浮体
７０  折線
７１  折線
７２  折線
【図１】
0003179272.tif 000003
【図２】
0003179272.tif 000004
【図３】
0003179272.tif 000005
【図４】
0003179272.tif 000006
【図５】
0003179272.tif 000007
【図６】
0003179272.tif 000008
【図７】
0003179272.tif 000009
【図８】
0003179272.tif 000010
【図９】
0003179272.tif 000011
【手続補正書】
【提出日】平成24年8月20日(2012.8.20)
【手続補正１】
【補正対象書類名】実用新案登録請求の範囲
【補正対象項目名】請求項５
【補正方法】変更
【補正の内容】
【請求項５】
前記胸浮体は、重ねる薄板状の浮体の大きさが内側から外側に向けて小さくなるように形成されている請求項２に記載の浮体付き胸付きズボン。
【手続補正２】
【補正対象書類名】実用新案登録請求の範囲
【補正対象項目名】請求項６
【補正方法】変更
【補正の内容】
【請求項６】
前記ズボン部は、前記腹浮体及び尻浮体の外側部分にベルト通しを備えている請求項３又は４に記載の浮体付き胸付きズボン。